(57)【要約】      （修正有）【課題】指定された刺激場所に向けて隔壁に対してリード先端を容易に配置する。【解決手段】探り針はリードの中央管腔の先端から導入される柔軟な金属線１０と制御ハンドル１８を包含している。この金属線は曲げにおいて塑性的に変形可能であり、かつ捩れに対して充分な剛性を有しているので金属線の全長にわたっての回転運動をハンドルの回転によって伝達することができる。応力が加えられない状態で、この金属は先端部１２において順次、第１曲線部分Ｃ１、第１直線部分Ｄ１、第２曲線部分Ｃ２と付加的に第２直線部分Ｄ２を包含している。第１と第２曲線部分は、軸φが第１直線部分を包含する二面角Δを定義する平面Ｐ１、Ｐ２の間で角φ３を作るそれぞれの平面内で伸展している。第１曲線部分と、第１直線部分と、第２曲線部分の全長は８２と１９５ミリメートルの間であり、静脈システムの解剖学的曲線に適合するようになっている。【選択図】図２
2010012248.tif 000002
【特許請求の範囲】
【請求項１】
心房または心室隔壁に接触する隔膜リードを導入するために、
−  前記隔膜リードの中央管腔を通過させるのに適した近接端と先端を有する柔軟な金属線と、
−  金属線の近接端に固定され、軸の周りで回転できる、制御ハンドルを包含し、
前記金属線は、柔軟に曲げの変形が可能であり、そして応力のかかっていない状態で、先端において、順次、第１の曲線部分（Ｃ１）と第１の直線部分（Ｄ１）と第２の曲線部分（Ｃ２）を有しており、
−  ここで、その金属線はハンドルの回転によって長さに沿って回転運動の伝達を許容する捩れ剛性を有しており、
−  第１曲線部分（Ｃ１）と第２曲線部分（Ｃ２）は、第１直線部分（Ｄ１）を含む二面角（Δ）を定義する平面（Ｐ１、Ｐ２）の間で角度（φ３）を作るそれぞれの平面内で伸展しており、
−  ここで、第１曲線部分と第１直線部分と第２曲線部分の全長が８２と１９５ｍｍの間にあり、かつ、ここで前記先端部分が、前記探り針を具備したリードが導入される静脈組織の解剖学的湾曲に対応する形状を包含する誘導探り針。
【請求項２】
探り針が右撓側皮静脈（２２）を通して静脈組織に導入されるように指定されているので、第１曲線部分（Ｃ１）と第２曲線部分（Ｃ２）が他者との関係に於いて、第１直線部分（Ｄ１）は直線部分（Ｄ１）を含む半平面の反対側でお互いに離れる方向で伸展するように構成される請求項１に記載の探り針。
【請求項３】
制御ハンドル（１８）が、さらに前記探り針が右撓側皮静脈（２２）を通して静脈組織の内側に導入されるように指定されている事を示す目印（３２）を含む請求項２に記載の探り針。
【請求項４】
前記探り針が左撓側皮静脈（３０）を介して静脈組織に導入されるように指定されているので、第１曲線部分（Ｃ１）と第２曲線部分（Ｃ２）が他者との関係に於いて、第１直線部分（Ｄ１）が第１直線部分（Ｄ１）を含む同じ側の半平面上に相互配列的に伸展するように構成される請求項１に記載の探り針。
【請求項５】
制御ハンドル（１８）が、さらに前記探り針が左撓側皮静脈（３０）を通して静脈組織の内側に導入されるように指定されている事を示す目印（３２）を含む請求項４に記載の探り針。
【請求項６】
金属線が、さらに第２曲線部分（Ｃ２）の先にある第２直線部分（Ｌ２）を含む請求項１に記載の探り針。
【請求項７】
第２直線部分（Ｌ２）がさらに１５ミリメートル以下の長さを含む請求項６に記載の探り針。
【請求項８】
二面角が４５°より少ない請求項１に記載の探り針。
【請求項９】
二面角が１０°と３０°の間にある請求項８に記載の探り針。
【請求項１０】
第１曲線部分（Ｃ１）が２００ミリメートル以下の曲率半径（Ｒ１）を有する請求項１に記載の探り針。
【請求項１１】
第１曲線部分（Ｃ１）が４０と６０ミリメートルの間の曲率半径（Ｒ１）を有する請求項１０に記載の探り針。
【請求項１２】
第１曲線部分（Ｃ１）が少なくとも１０°の開き角（φ１）を与える請求項１に記載の探り針。
【請求項１３】
第１曲線部分（Ｃ１）が７０°と１１０°の間の開き角（φ１）を与える請求項１２に記載の探り針。
【請求項１４】
第１直線部分（Ｒ１）が少なくとも１０ミリメートルの長さを有する請求項１に記載の探り針。
【請求項１５】
第１直線部分（Ｒ１）が３０と７０ミリメートルの間の長さを有する請求項１４に記載の探り針。
【請求項１６】
第２曲線部分（Ｃ２）が１０と１５ミリメートルの間の曲率半径を有する請求項１に記載の探り針。
【請求項１７】
第２曲線部分（Ｃ２）が２０°と４０°の間の開き角（φ２）を与える請求項１に記載の探り針。
【請求項１８】
請求項１の構造によるプリフォームされた誘導探り針を含み、心房または心室隔壁に接触するまでプローブ先端を方向付けし、かつ誘導するための静脈組織への導入のためのキット。
【請求項１９】
−  応力のかかっていない状態で本質的に真っ直ぐなプリフォームされていない金属線を含む誘導探り針と、
−  第１曲線部分（Ｃ１）と第１直線部分（Ｄ１）と第２曲線部分（Ｃ２）を順次有するように、前記金属線を成型する鋳型と、を包含し、
−  ここで、金属線はハンドルの回転による回転運動の全長にわたる伝達を可能にする捩れ剛性を有しており、
−  第１曲線部分（Ｃ１）と第２曲線部分（Ｃ２）は、第１直線部分（Ｄ１）を含む二面角（Δ）を定義する平面（Ｐ１、Ｐ２）の間で各（φ３）を作るそれぞれの平面内で伸展しており、
−  ここで、第１曲線部分と第１直線部分と第２曲線部分の全長は８２と１９５ミリメートルの間にあり、かつ、
−  ここで、前記先端がある形状を含んでおり、かつ前記探り針を具備したリードが導入される静脈組織の解剖学的湾曲に対応していて、心房または心室隔壁に接触するまでリード先端を方向付けし、かつ誘導するための静脈組織への導入のためのキット。
【請求項２０】
前記鋳型がさらに探り針の梱包に基づいて形成されたレリーフを包含する、前記キットが前記探り針を収納する前記梱包を包含する請求項１９に記載のキット。
【発明の詳細な説明】
【技術分野】
【０００１】
本発明は体内リードを導入する際に使用する探り針に係わるものであり、“能動埋め込み医用装置”と関連する検出／刺激用リード、そのような装置は１９９０年６月２０日のヨーロッパ共同体評議会指示９０／３８５／ＣＥＥによって定義されているが、さらに特定すると、心臓刺激、再同期、電気的除細動や除細動のためのインプラントに関連するリードを含むものである。本発明は特に“心臓隔膜”として定義される心室内壁または心房内壁に対して配置されるように意図される“隔膜リード”として知られている特殊な心臓内リードの埋め込みに係わるものである。
【背景技術】
【０００２】
体内リードは、特に多点ペーシングまたは再同期装置と共に、左心房や心室を刺激するために使用され、これはリードの構成や位置に依存する。これらのリードは普通は、ねじ錨、一般的には引き込み可能ねじを装備しており、これは隔膜の壁にリード先端の固定を許容するものであり、その結果リードの先端部分の電極は壁に対して垂直にしっかりとした方法で付けられる。この設定を想定すると、隔膜リードの配置は特に細心の注意を必要とする操作となり、これは右心室の頂点に届くまで単純に押し込まれる右胸空ペーシングリードの配置とは異なるものである。これらの隔膜リードは他の心内リードと同様に、右撓側皮静脈と上大静脈を介して（“右接近”）か、または左撓側皮静脈と上大静脈を介して（“左接近”）静脈網から導入される。従来の右空洞ペーシングリードの場合には、そのリードは単に心室の頂点まで押し込まれるだけである。しかしながら、隔膜リードの場合には、一度その先端が空洞内に到達すると、リードの先端は隔膜壁に対して垂直に向けられ、そして電極を含むリード先端を隔膜にねじ込むことによってしっかり留めることが出来るように、選択されたペーシング場所で壁に圧着される必要がある。
【０００３】
選択されたペーシング場所に埋め込みを行うときに先端を容易に導き、かつそれに対してしっかりと垂直方向になるようにするために、リードは比較的硬いことが必要である。これを行うために、外科医は最初にリード本体の空洞、柔軟性のある鞘に柔軟な線材の形で探り針を導入する。この探り針は近接端から与えられて、リードから出てくるので、制御ハンドルで外科医は鞘の内部で探り針の回転や並進運動を送ることができる。その時、リード線は、探り針によって精度を確保されて、静脈網に導入されることが可能である。それから、その先端は探り針の近接端でのハンドルの回転によって方向付けをすることが出来る。この方法で、外科医はリードの先端を回転させ（これは湾曲を示す）、そして隔膜埋め込み場所にそれを向ける。一度、その場所に達すると、それから外科医は隔壁の組織を貫くねじ錨を回転させることによってリードの先端を錨留めする。
【０００４】
右空洞ペーシングリードに対比して、その位置決めは比較的容易であるが（心室頂部において）、隔壁に錨留めされるリードの先端の場合には、静脈接近路と心臓形態の多様性は隔膜への接近及び隔壁に対してのリード先端の位置決めの両方とも困難であることを示すものである。
【０００５】
これらの性質に対応して、一度空洞に挿入されると、隔壁に対して接近を容易にし、格納できる湾曲部をリードの対応端に与えるように、その先端の塑性変形を与えることによって、外科医は探針の先端構造を特徴づけようと試みるものである。
【０００６】
欧州特許出願公開第１９２０７９５号Ａ１明細書（対応する米国特許出願公開第２００９０１０５７２４号明細書）は、いろいろなレベルで面した一連の曲がりを持った弓形を有している、特別な３次元構造を用いて予め作られたプラスチック糸で出来ている先端を有する探り針について記述している。一度、探り針がリード内に挿入され、そして探り針／リードの組み合わせが導入されて心室内に配置されると、この特別な構造は希望する方向に無理なく向けるような形をリードに与えることが可能になる。リード先端の位置決めの微調整は探り針の近接端にある制御ハンドルを多く押したり、少なく押したりすることによって達成できる。連続したいろいろな曲がりを持った弓形によって、トルクを与えたり、送ったりする必要なしでリード内部の探り針の軸方向運動はリードの回転に自動的に変換される。実際、この装置では近接部分は恒久的に変形可能な物質で出来ており（探り針の形に“記憶”を与えるように）、これは相対的な可塑性のためにトルクを送るようには設計されていない。探り針の軸方向移動によってリード先端の方向の微調整を可能にするために、このシステムにおいて、全ての湾曲構造の探り針（それ故に、リード）が右心室、言わば、心臓内部に配置して使用されることは注目に値するものである。
【０００７】
欧州特許出願公開第０７７８０４４号Ａ２明細書（そして、対応する米国特許第５，８０７，３３９号明細書）は、Ｏｖｅｒ−Ｔｈｅ−Ｗｉｒｅ（ＯＴＷ）と呼ばれ特別な技術に適用される“ガイド金属線”または金属線ガイド型の付属品を記述している。そこでは、ガイド金属線は全長に亘って探り針覆いを通って走っており、誘導したり、先端部に現れたりする。非外傷端に到達する際に、さらに静脈に安全に直接的に前進を可能にするために、金属線ガイドはボールまたは螺旋で先端部が終端される。探り針の鞘の内部でガイド金属線を多かれ少なかれ折り返す場合、心腔内または冠状動脈網（しかし、心臓内に位置する部分ではいつでも）の中へとずっと容易に方向付けをするために、それを強化して、特別な、変更可能な湾曲を与えることが可能である。そのようなガイド金属線の典型的な応用は冠状動脈洞へのリードの配置であって、最終位置が得られるまで、ガイドの上をリードをゆっくりと滑らせることによって、冠状動脈洞の中心を貫通し、そして冠状静脈システムのなかに到達させるように、両方で構成される技術によるものである。
【０００８】
更に複雑な装置もまた提案されており、これはお互いに適合する２つの探り針を有しており、先端の曲がった部分の開き角を変更できるものである。この問題解決法は比較的高価で複雑であり、曲がった先端の開き角は変更できるが曲率半径それ自身は変更できないので、時として意図した機能に適合しない場合がある。
【０００９】
加えるに、この装置が使用されるときは何であっても、リードの空洞軸内の探り針の回転中に医者に良く知られている現象は探り針の近接端でハンドルにゆっくりした回転を与えると、その回転は反対側の先端に伝えられ、第一に、探り針の先端は非常にゆっくりした回転であり、第二に、探針のハンドルのゆっくりとした回転が続くと或る閾値を過ぎた後で、探り針の先端の回転に突然ジャンプが生じる。この機械的緩和現象はリード覆い内の探り針の機械的トルクの進行的蓄積から生じるものであり、つぎに先端においてジャンプが生じてこれらの制約の突然の解放が行われる。このジャンプは探り針の回転中に“クリック音”または“ガタガタ音”の形で医者によって感じ取られる。これは探り針の先端の動きを精密に制御し、その結果、必要とする前進と精度を持って隔壁にリードを精確に向けることが不可能であることに帰着する。
【００１０】
ガタガタ音現象の原点はリードの空洞軸管への探り針の機械的トルク平衡の位置であり、リードは挿入された静脈網の形状をとるものである。リードの挿入の場合に於いて、探り針によって固定化されるので、時として探り針本体の恒久的変形に至る場合があり、小さいのだけれども、この恒久的変形は静脈形態（これは自身、右か左か通路に依存するものである）によって与えられる通路に組織的に蓄積する傾向にある。その理由は捩れにおけるエネルギー最小の基本力学的原理によるものである。
【発明の目的および概要】
【００１１】
それ故に、本発明の目的は静脈接近の調査に基礎を置いた隔膜リードの自己位置決めを与える新しい技術を提供することにあり、そして、その結果、外科医によって選択され、指定された刺激場所に向けて隔壁に対してリード先端を容易に配置するために、制御ハンドルによって作り出されるトルクの隔膜リードの先端への有効な伝達を与えるものである。
【００１２】
しかしながら、本発明は探り針の配置の関連でここに記述されるが、それは他の身体内装置の配置にも同様に適用でき、これは、例えば、左空洞への接近を達成するための中隔カテーテルの配置を含むものであるということが理解されるべきである。
【００１３】
広く、本発明は、例えば、前記欧州特許出願公開第１９２０７９５号Ａ１明細書で開示されているように、一般に知られている型の改善されたガイド探り針に向けられており、リードの中央管内において先端によって導入される柔軟な金属線と近接端での金属線に装着された制御ハンドルを含むものである。この金属線は曲げに於いて弾性的に変形可能であり、その捩れは近接端での制御ハンドルの回転による運動の金属線の全体の長さに亘って伝達を可能にする十分な剛性を有している。圧力の加えられない状態では、その金属線は先端で、順次に第１の曲線の部分、第１の直線部分、及び第２の曲線の部分を含んでいる。
【００１４】
本発明によれば、第１曲線部分と第２曲線部分はそれぞれの平面内で伸展していて、それらの間でねじれ角を定義しており、その軸は直線部分を含んでいる。第１曲線部分と、第１直線部分と、第２曲線部分の全長は望ましくは８２と１９５ミリメートルの間であり、この寸法は探り針を備えたリードが導入される静脈網の解剖学的曲率と適合するように選択されている。
【００１５】
換言すれば、都合の良いことに、機械的トルク制限の蓄積と捩れにおけるエネルギー最小の力学原理に起因する突然の開放、即ちガタガタ動作、の現象に対抗して争う代わりに、本発明では隔膜の方向でのリード先端の位置決めを確実にするためにこの単純で予測可能な力学的現象を利用することを提案するものである。
【００１６】
実際、探り針に与えられる特別な構造は、本発明によれば、上大静脈と撓側皮静脈（右または左）を含む静脈組織の曲がりに力学的に適合させるのを可能にしている。この曲がりは、これは解剖学的曲がりに普通に含まれるものであるが、自動的に探り針の先端、それ故に、リード先端部分を好きな方向に操作することができる。この角度は探り針のハンドルを回転させることによって微細に調整することができる。これは探り針の機械的ジャンプ（ガタガタ動作）が生じる前に、±２０°から±４０°位の柔軟性を持った範囲で、平衡トルク位置の付近でゆっくり行われる。
【００１７】
先行技術で提案されている複合二重探り針システムとは異なり、実施が簡単で経済的なので、本発明で提案される解決法は特に有利である。
【００１８】
さらに、外科医によって微細な調整（先端部分のプラスチック変形）を必要とするだけなので、本発明の探り針は工場で直接的にプリフォームしておくことが出来る。言葉を換えると、全体構造は製造業者によって製造され、それから外科医によって埋め込みの時に精密調整が為される。その最終調整は主に先端の調整を含むものであって、一方において他の曲線（半径、角度、回転軸に関する位置、曲線の角描画、など）は製造中に調整される。
【００１９】
他の実施態様に於いては、探り針のプリフォームはされないが、外科手術に利用できる簡単な配座道具が外科医に利用できるようにされる。例えば、探り針が梱包される“気泡”梱包で、造りこまれる種々の半径を持つ熱成型鋳型であり、これは又適切な角度基準を有している。
【００２０】
一般に、必要に応じて、第１曲線部分と第２曲線部分はお互いの関係の下で設定され、そして、第１直線部分は、お互いに離れて伸展するように、右撓側皮静脈を介して静脈組織に導入されるように設計された探り針に関しては、第１直線部分を含む半平面の反対側に、または、相互配列に於いて、左撓側皮静脈を介して静脈組織に導入されるように設計された探針に関しては、第１直線部分を含む半平面と同じ側になる。それから、好ましくは制御ハンドルは目印を含んでいる。即ち、探り針が右撓側皮静脈を介して静脈組織に導入される探り針であるか、または左撓側皮静脈であるかを示すＲまたはＬまたは色符号などである。
【００２１】
いろいろな好ましい実施態様によれば、
−  ねじれ角は好ましくは４５°未満であり、１０°と３０°の間から選択されれば有利である。
−  第１曲線部分は２００ミリメートルより少ないか、または等しい曲率半径を有する。さらに好ましくは、４０と６０ミリメートルの間であり、
−  第１曲線部分は少なくとも１０°の直線開き角、さらに好ましくは７０°と１１０°の間を有しており、
−  第１直線部分は少なくとも１０ミリメートルの長さを有しており、さらに好ましくは３０と７０ミリメートルの間であり、
−  第２曲線部分は１０と１５ミリメートルの間から選ばれた曲率半径を有しており、
−  第２曲線部分は２０°と４０°の間から選択された曲線開き角を示し、さらに、
−  この金属線は、また付加的に第２曲線部分の後で、１５ミリメートルより少ないか、または等しい長さの直線部分を、先端の部分で示すものである。
【００２２】
本発明の更なる付加的な側面は静脈組織に感知金属線の導入を誘導する探り針を含むキットとシステムに向けられており、それ故に、その方向付けと誘導によって感知器の先端を心房と心室隔膜の壁に接触させることができる。
【００２３】
そのようなキットまたはシステムは好ましくは前述した構成に従って、既にプリフォームされた金属線を含むことがある。別の場合には、それはプリフォームされた金属線、即ち、ストレスの掛かっていない状態では本質的に真っ直ぐな金属線と、前述したように或る型に従ってプリフォームされた金属線を成型する鋳型を含まない場合がある。前記鋳型は多分に探り針梱包で成型された代替品である。
【図面の簡単な説明】
【００２４】
本発明の更なる性質、有利な点と特徴は、本発明の好ましい実施態様の以下の詳しい説明に従って述べられ、これは付属の図面を参照してなされ、そこでは、同じ参照番号は一つの図面から他の図面にわたって同等か、または機能的に同じである項目を示している。
【図１】心内隔膜に対して配置されたリードの埋め込みの通路と方法を図示したものである。
【図２】右接近の方法での埋め込みに関連して、本発明による探り針を示している。
【図３】左接近の方法での埋め込みに関連して、本発明による探り針を示している。
【発明を実施するための形態】
【００２５】
図１から３に関連して、参照番号１０は一般に心内リードの中央空洞軸の管腔に通された探り針を示しており、その結果、リードは、構造が非常に柔軟であり、内部に導入された探り針によって与えられた形を再現している。
【００２６】
その先端部分１２と先端１４は右心室に到達し、リード先端に対応する。これは心室内壁または隔膜に埋め込まれるように意図されているものである（この発明がさらに心房間の隔膜に対する位置にも適応できることに注目すべきである）。
【００２７】
その反対側、近接部分１６で、探り針１０には駆動制御ハンドル１８が備えられており、これは先端１２（１４）の捩れ伝達動力によってそれを誘導、つまり探り針が通されて、選択されたペーシング場所の方向にリードを誘導するように制御することを可能にしている。
【００２８】
探針１０は好ましくは柔軟な材料で作られており、これは比較的硬くはあるが、塑性的に変形可能であり、直径が通常０．３０ミリメートルから０．４５ミリメートルのステンレス鋼線ＡＩＳＩ３０２又はＡＩＳＩ３０４のようなものである。この金属線は曲げや捩れに対して塑性的に変形可能であり、回転運動の伝達を可能にする充分な硬さを有しており、糸の全長にわたって、ハンドル１８で外科医が制御できるものである。
【００２９】
探り針を有するリードは上大静脈２０と右撓側皮静脈２２を介して心腔に挿入され、右心房２４と心室２６（心室間隔膜に対する埋め込みの場合に）に到達する。ハンドル１８を回転させることによって、外科医はリード先端を心室間隔膜２８の方向の隔壁に向ける、ここで外科医はそれをネジ回転させることによって、隔膜組織にリード先端を錨止めすることができる。他の接近法が撓側皮静脈３０と左上大静脈２０を介して可能である。後者の場合は“左接近法”と呼ばれ、一方において前者は“右接近法”と呼ばれる。図２、３は本発明に従って探り針１０の先端部分１２に与えられる特別な構造を示している。この構成は選択された方法によって異なっており、図２は右接近法、図３は左接近法に対応している。
【００３０】
この特別な左または右接近構造は好ましくは製造中に探り針１０に与えられる。それ故に、探り針１０は、後で述べられるように、いわゆる自由な状態、すなわち何の応力も加えられない状態で（例えば、特にリードの空洞軸の中央管腔に導入される前に）配置されるときに、ある曲率を与えるように、プリフォームされた状態で提供される。
【００３１】
先端部１２は中央部分から先端部分１４まで順次包含する、即ち
−  第１曲率半径Ｒ１と開き角φ１を有する第１曲線部分Ｃ１と、
−  第１の長さＬ１を有する第１直線部分Ｄ１と、
−  第２曲率半径Ｒ２と開き角φ２を有する第２曲線部分Ｃ２と、付加的に
−  第２の長さＬ２を有する第２直線部分Ｄ２と、である。
【００３２】
図示された例では、曲線部分は、即ち楕円または不均一な半径を有する曲がった弓形を含む、一定の曲率半径または他の曲がった形を有する、弓形であり得ることに注目されるべきである。本発明の文脈においては“曲線”という言葉は最も広い、非直線という意味で理解されるべきである。
【００３３】
好ましくは、曲線部分Ｃ１とＣ２は同一平面上には無く、むしろ軸Δが第１直線部分Ｄ１を含む二面角を定義する角φ３をそれらの間に形成する２つのそれぞれの平面Ｐ１、Ｐ２内に配置されている。
【００３４】
右接近法（図２）の探針１０の場合には、両曲線部分Ｃ１とＣ２はお互いから離れるように進展している。即ち、直線部分Ｄ１を含む半平面のどちらか一方の側に、である。左接近法（図３）の探針の場合には両曲線部分Ｃ１とＣ２は共通の位置あわせで、即ち直線部分Ｄ１を含む半平面の同じ側で配列されている。
【００３５】
探針１０が製造中にプリフォームされるならば、梱包は両方の型の探り針を含むことがある。そして外科医は右か、左か、適切なものとして選択された接近法に適応する方法を選択することができる。この場合には、２つの探り針をもっと容易に区別できるように目印３２、例えば、“Ｌ”、“Ｒ”または色符号を有するハンドル１６を提供するのが有利である。
【００３６】
本発明の一実施態様によれば、探り針の形状は以下の典型的、かつ制限のない範囲で変化する以下の７つのパラメータの内の１つ以上を包含する。即ち、
第１曲線部分：Ｒ１≦２００ｍｍ、好ましくはＲ１＝４０から６０ｍｍ、
φ１≧１０°、好ましくは７０°から１１０°
第１直線部分：Ｌ１≧１０ｍｍ、好ましくは３０から７０ｍｍ
第２曲線部分：Ｒ２＝１０から１５ｍｍ、
φ２＝２０°から４０°
第２直線部分：Ｌ２＝０から１５ｍｍ（これは第２直線部分が省略されること（Ｌ２＝０）を意味している、つまり先端部分１４が第２曲線部分（Ｃ２）の自由端である前者に直に配置されている）
平面Ｐ１とＰ２の相互角：φ３＝０°から４５°、好ましくは１０°から３０°
【００３７】
曲率と角度の極端な値を使用すれば、弓状に展開した曲線接触の長さを計算することができる。
−  第１曲線部分Ｃ１：４９から１１５ｍｍ
−  第２曲線部分Ｃ２：３から１０ｍｍ
または、３０と７０ｍｍの間の直線部分Ｄ１の長さと０から１５ｍｍの間の第２の直線部分（付加的）の長さで、全体の進展長は、
−  第２直線部分が無い場合は８２と１９５ｍｍ、かつ、
−  第２直線部分が有る場合は８２と２１０ｍｍ
の間にある。これらの極端な進展長の値は以下のような事実を反映している、つまり一連の直線および曲線部分は、心腔（単に、第２直線と曲線部分が展開している）ではなく、探り針を有するリードが導入される静脈網の解剖学的湾曲を補わなければならないという事である。
【００３８】
本発明が、ここで開示された実施態様以外のものであっても実施することが可能であり、特別な、典型的なパラメータが与えられているが、これらは説明のために与えられているものであり、制限を与えるものではないという事が当業者には理解できるであろう。
【図１】
2010012248.tif 000003
【図２】
2010012248.tif 000004
【図３】
2010012248.tif 000005
【外国語明細書】
2010012248.tif 000006
2010012248.tif 000007
2010012248.tif 000008
2010012248.tif 000009
2010012248.tif 000010
2010012248.tif 000011
2010012248.tif 000012
2010012248.tif 000013
2010012248.tif 000014
2010012248.tif 000015
2010012248.tif 000016
2010012248.tif 000017
2010012248.tif 000018
2010012248.tif 000019
2010012248.tif 000020
2010012248.tif 000021
2010012248.tif 000022
2010012248.tif 000023
2010012248.tif 000024
2010012248.tif 000025